(57)【要約】【課題】ブラシ部ワイヤの劣化及び折損を極力回避できる構造を備えた歯間ブラシを提供する。【解決手段】ワイヤ根元の回転を防止抑制するための回転防止壁を備えた、または、ブラシ部のワイヤ根元外周に補強用ワイヤ、または、補強用スプリング（コイル形状、スパイラル形状）を備えた、または、ワイヤにブラシが取付けられている部分の一部をハンドル本体に組み込む、または、ブラシ部を傾斜させた場合にワイヤを緩やかな円弧、楕円弧状に曲げることができるスリーブを備えた、または、各箇所に緩やかな円弧、楕円弧形状部を備えた、または、前記各手段を組合わせた構造を備えた。【選択図】図１
0003142851.tif 000002
【実用新案登録請求の範囲】
【請求項１】
ブラシ部を傾斜させて、または、折り曲げて使用する場合のワイヤ根元での回転を防止抑制するための回転防止壁を備えた歯間ブラシ。
【請求項２】
ブラシ部のワイヤ根元外周に補強用ワイヤ、または、補強用スプリング（コイル形状、スパイラル形状）を備えた歯間ブラシ。
【請求項３】
ワイヤにブラシが取付けられている部分の一部をハンドル本体に組み込まれた歯間ブラシ。
【請求項４】
請求項３のブラシが取付けられている部分の一部が熱源等で成形されハンドル本体に組み込まれた歯間ブラシ。
【請求項５】
ハンドル先端に取付けるとハンドル先端が前方開放穴形状となり、ブラシ部を傾斜させた場合にワイヤを緩やかな円弧、楕円弧状に曲げることができるスリーブ、または、ハンドル先端に取付けるとハンドル先端が前方開放穴形状となり、ブラシ部を傾斜させた場合にワイヤを緩やかな円弧、楕円弧状に曲げることができるスリーブを備えた歯間ブラシ、または、ハンドル先端に取付けるとハンドル先端が前方開放穴形状となり、ブラシ部を傾斜させた場合にワイヤを緩やかな円弧、楕円弧状に曲げることができる回転防止壁付きスリーブ、または、ハンドル先端に取付けるとハンドル先端が前方開放穴形状となり、ブラシ部を傾斜させた場合にワイヤを緩やかな円弧、楕円弧状に曲げることができる回転防止壁付きスリーブを備えた歯間ブラシ。
【考案の詳細な説明】
【技術分野】
【０００１】  本考案は、ブラシ部ワイヤの劣化及び折損を極力回避できる構造を備えた歯間ブラシに関するものである。
【背景技術】
【０００２】  従来から直線型とＬ字型の歯間ブラシがある。直線型は、通常はブラシ部を直線状態としたままブラッシングを行うが、奥歯などはワイヤを傾斜、または、折り曲げて使用している。Ｌ字型は、歯の裏側や奥歯などの専用として使用されている。
【考案の開示】
【考案が解決しようとする課題】
【０００３】  直線型の歯間ブラシのワイヤを傾斜、または、折り曲げて使用すると、ワイヤ根元に引張り荷重負荷や圧縮荷重負荷や回転負荷等が加わり、ブラシ部フィラメントが劣化する前に早期にワイヤが折損してしまう問題がある。対策として、ワイヤ組成の改良等が行われているが、更なる改良が望まれる。Ｌ字型は、直線型に比較して劣化が遅いが構造は同じであり、同様の問題がある。また、Ｌ字型は奥歯に有効に思われるが実際は、Ｌ字部分の形状が大きいため口腔内での動作に制約がある。同時にＬ字型は、直線型の歯間ブラシより製造コストが高い。したがってコストが低く且つ、ブラシ部ワイヤの劣化及び折損を極力回避できる構造を備えた歯間ブラシの開発が課題である。
【課題を解決するための手段】
【０００４】  本考案は、ブラシ部を傾斜させて、または、折り曲げて使用する場合のワイヤ根元での回転を防止抑制するための回転防止壁を備えたことで、ワイヤの早期劣化と折損を回避しようとする請求項１である。【０００５】  本考案は、ブラシ部のワイヤ根元外周に補強用ワイヤ、または、補強用スプリング（コイル形状、スパイラル形状）を備えたことで操作性良く、且つ、ワイヤの早期劣化と折損を回避しようとする請求項２である。【０００６】  本考案は、ワイヤにブラシが取付けられている部分の一部をハンドル本体に組み込むことで、ワイヤ部の強度を補完し、早期劣化と折損を回避しようとする請求項３である。【０００７】  本考案は、ワイヤにブラシが取付けられている部分の一部をハンドル本体に組み込み、このブラシが取付けられている部分の一部が熱源等で成形されたことで、ワイヤ部の強度を補完し、早期劣化と折損を回避しようとする請求項４である。【０００８】  本考案は、ハンドル先端に取付けるとハンドル先端が前方開放穴形状となり、ブラシ部を傾斜させた場合にワイヤを緩やかな円弧、楕円弧状に曲げることができるスリーブ、または、ハンドル先端に取付けるとハンドル先端が前方開放穴形状となり、ブラシ部を傾斜させた場合にワイヤを緩やかな円弧、楕円弧状に曲げることができるスリーブを備えた歯間ブラシ、または、ハンドル先端に取付けるとハンドル先端が前方開放穴形状となり、ブラシ部を傾斜させた場合にワイヤを緩やかな円弧、楕円弧状に曲げることができる回転防止壁付きスリーブ、または、ハンドル先端に取付けるとハンドル先端が前方開放穴形状となり、ブラシ部を傾斜させた場合にワイヤを緩やかな円弧、楕円弧状に曲げることができる回転防止壁付きスリーブを備えた歯間ブラシを提供することにより、ワイヤ部の負荷を減らし、早期劣化と折損を回避しようとする請求項５である。
【考案の効果】
【０００９】  本考案によれば、ワイヤ部に加わる負荷を簡単な手段により低減させる構造を備えているため、製造コストが低く且つ、ブラシ部ワイヤの劣化及び折損を極力回避でき、歯間ブラシの寿命を延ばすことができる。
【考案を実施するための最良の形態】
【００１０】  本考案の請求項１は、ブラシ部を傾斜させて、または、折り曲げて使用する場合のワイヤ根元での回転を防止抑制するための回転防止壁を備えており、ブラシ部を傾斜させたい、または、折り曲げて使用せざるえない場合に、回転防止壁のところへワイヤを曲げ込む。【００１１】  請求項１の形状は、さまざま考えられ、回転防止の効果を果たすものであればよい。【００１２】  また、請求項１は、回転防止壁に曲げ込まれたワイヤが元の位置に戻らないように、ロックされる部分を備えることも考えられる。【００１３】  ワイヤが傾斜、または、折り曲げられたときにワイヤが接触する各箇所は、Ｒ形状（円弧、楕円弧状）が望ましい。このＲ形状も、緩やかで大きいほどワイヤへの負荷が小さく抑えられる。【００１４】  本考案の請求項２は、ブラシ部のワイヤ根元外周に補強用ワイヤ、または、補強用スプリング（コイル形状、スパイラル形状）を備えたことでワイヤを補強すると共に、ワイヤを曲げるときの操作性も確保している。【００１５】  請求項２の補強用ワイヤ、または、補強用スプリング（コイル形状、スパイラル形状）の材質は、樹脂系、金属系などが挙げられる。【００１６】  請求項２の補強用ワイヤ、または、補強用スプリング（コイル形状、スパイラル形状）は、ハンドルに一体になっているもの、分解できるもの、既存の歯間ブラシに後から、取付けることができるものが挙げられる。【００１７】  本考案の請求項３は、ワイヤにブラシが取付けられている部分の一部をハンドル本体に組み込まれている。【００１８】  本考案の請求項４は、ワイヤにブラシが取付けられている部分の一部をハンドル本体に組み込み、このブラシが取付けられている部分の一部が熱源等で成形されることを特徴とする。【００１９】  本考案の請求項５は、ハンドル先端に取付けるとハンドル先端が前方開放穴形状となり、ブラシ部を傾斜させた場合にワイヤを緩やかな円弧、楕円弧状に曲げることができるスリーブである。【００２０】  請求項５のスリーブは、ハンドルに一体になっているもの、分解できるもの、既存の歯間ブラシに後から、取付けることができるものが挙げられる。【００２１】  請求項１、請求項２、請求項３、請求項４、請求項５に共通して各部分のワイヤが接触する各箇所は、Ｒ形状（円弧、楕円弧状）が望ましく、このＲ形状も、緩やかで大きいほどワイヤへの負荷が小さく抑えられる。
【産業上の利用可能性】
【００２２】  本考案は、ワイヤ部に加わる負荷を簡単な手段により低減させる構造を備えているため、製品寿命の長い、歯間ブラシとして利用可能である。【００２３】  また、ワイヤ部に加わる負荷を簡単な手段により低減させる構造は、歯間ブラシ以外の製品の負荷低減課題にも有効な技術である。
【図面の簡単な説明】
【００２４】
【図１】回転防止壁を備えた請求項１の歯間ブラシの代表例図である。想像線は、ブラシ部を折り曲げた場合を表す。
【００２５】
【図２】回転防止壁部分の概略を示した代表例の拡大斜視図である。
【００２６】
【図３】回転防止壁部分の概略を示した代表例の側面図、正面図、上面図である。ワイヤ根元周囲に空間を持たせていない場合の図である。
【００２７】
【図４】回転防止壁部分の概略を示した代表例の側面図、正面図、上面図である。ワイヤ根元周囲に空間を持たせている場合の図である。
【００２８】
【図５】ワイヤ根元外周に補強用ワイヤ、または、補強用スプリング（コイル形状、スパイラル形状）を備えた請求項２の歯間ブラシの代表例図である。
【００２９】
【図６】ワイヤにブラシが取付けられている部分の一部をハンドル本体に組み込まれる請求項３の代表例図である。
【００３０】
【図７】ワイヤ根元に前方開放穴形状でＲ形状（円弧、楕円弧状）採用した場合の一例図である。
【００３１】
【図８】ハンドル先端に取付けるとハンドル先端が前方開放穴形状となり、ブラシ部を傾斜させた場合にワイヤを緩やかな円弧、楕円弧状に曲げることができるスリーブを採用した場合のハンドルに一体になっているもの、分解できるもの、既存の歯間ブラシにあとから、取付けることができるものを表した一例図である。
【符号の説明】
【００３２】１・・・回転防止壁
２・・・緩やかな円弧、楕円弧形状部
３・・・補強用ワイヤ、または、補強用スプリング（コイル形状、スパイラル形状）
４・・・ワイヤにブラシが取付けられている部分の一部をハンドル本体に組み込ませる場合のワイヤ部分
５・・・スリーブ
【図１】
0003142851.tif 000003
【図２】
0003142851.tif 000004
【図３】
0003142851.tif 000005
【図４】
0003142851.tif 000006
【図５】
0003142851.tif 000007
【図６】
0003142851.tif 000008
【図７】
0003142851.tif 000009
【図８】
0003142851.tif 000010
【手続補正書】
【提出日】平成20年3月24日(2008.3.24)
【手続補正１】
【補正対象書類名】実用新案登録請求の範囲
【補正対象項目名】全文
【補正方法】変更
【補正の内容】
【実用新案登録請求の範囲】
【請求項１】
折り返したワイヤ間に複数本のフィラメントよりなる毛束を挟み込んだ状態でこのワイヤを捻ることにより、ワイヤ軸に沿ってフィラメントを植毛したブラシ部とハンドルを備える歯間ブラシであって、ブラシ部を傾斜させて、または、折り曲げて使用する場合のワイヤ根元での回転を防止抑制するための回転防止壁を備えた歯間ブラシ。
【請求項２】
ブラシ部のワイヤ根元外周に補強用ワイヤ、または、補強用スプリング（コイル形状、スパイラル形状）を備えたことを特徴とする請求項１記載の歯間ブラシ。
【請求項３】
ワイヤにブラシが取付けられている部分の一部をハンドル本体に組み込まれたことを特徴とする請求項１の歯間ブラシ。
【請求項４】
請求項３のブラシが取付けられている部分の一部が熱源等で成形されハンドル本体に組み込まれたことを特徴とする請求項１の歯間ブラシ。
【請求項５】
ハンドル先端に取付けるとハンドル先端が前方開放穴形状となり、ブラシ部を傾斜させた場合にワイヤを緩やかな円弧、楕円弧状に曲げることができる請求項１の回転防止壁を備えた円弧、楕円弧形状をもつスリーブ、または、ハンドル先端に取付けるとハンドル先端が前方開放穴形状となり、ブラシ部を傾斜させた場合にワイヤを緩やかな円弧、楕円弧状に曲げることができる円弧、楕円弧形状をもつスリーブを備えた請求項１の歯間ブラシ。
【手続補正２】
【補正対象書類名】明細書
【補正対象項目名】０００８
【補正方法】変更
【補正の内容】
【０００８】  本考案は、ハンドル先端に取付けるとハンドル先端が前方開放穴形状となり、ブラシ部を傾斜させた場合にワイヤを緩やかな円弧、楕円弧状に曲げることができる請求項１の回転防止壁を備えた円弧、楕円弧形状をもつスリーブ、または、ハンドル先端に取付けるとハンドル先端が前方開放穴形状となり、ブラシ部を傾斜させた場合にワイヤを緩やかな円弧、楕円弧状に曲げることができる円弧、楕円弧形状をもつスリーブを備えた請求項１の歯間ブラシを提供することにより、ワイヤ部の負荷を減らし、早期劣化と折損を回避しようとする請求項５である。
【手続補正３】
【補正対象書類名】図面
【補正対象項目名】図５
【補正方法】変更
【補正の内容】
【図５】
0003142851.tif 000011
【手続補正４】
【補正対象書類名】図面
【補正対象項目名】図６
【補正方法】変更
【補正の内容】
【図６】
0003142851.tif 000012
【手続補正５】
【補正対象書類名】図面
【補正対象項目名】図７
【補正方法】変更
【補正の内容】
【図７】
0003142851.tif 000013
【手続補正６】
【補正対象書類名】図面
【補正対象項目名】図８
【補正方法】変更
【補正の内容】
【図８】
0003142851.tif 000014